(57)【要約】【課題】充電器から供給される電力が動作に必要な電力に満たない場合であっても動作不能な状態に陥ることを回避できながらも、二次電池の不要な消費を抑える。【解決手段】二次電池２に対する充電完了後において、外部電源アダプタ３から供給される電力における電流値が、携帯端末機１の動作にて必要となる電流値よりも大きな場合は、外部電源アダプタ３から供給される電力によって動作し、外部電源アダプタ３から供給される電力における電流値が、携帯端末機１の動作にて必要となる電流値よりも小さな場合は、二次電池２に充電された電力によって動作する。【選択図】図１
2012125015.tif 000002
【特許請求の範囲】
【請求項１】
二次電池が装着され、外部電源に接続された充電器から供給される電力によって前記二次電池が充電され、該二次電池に充電された電力または前記充電器から供給される電力によって動作する携帯端末であって、
前記携帯端末の動作を制御する内部回路部と、
前記充電器から供給される電力における電流値を測定する電流測定部と、
前記充電器から供給される電力の前記二次電池への充電を制御する充電制御部と、
前記二次電池に充電された電力と前記充電器から供給される電力とのいずれか一方を前記内部回路部に供給する電源切換え部とを有し、
前記内部回路部は、前記二次電池に対する充電完了後において、前記電流測定部にて測定された電流値が、前記携帯端末の動作にて必要となる電流値よりも大きな場合は、前記充電制御部及び前記電源切換え部によって、前記充電器から供給される電力を前記内部回路部に供給するように制御し、前記電流測定部にて測定された電流値が、前記携帯端末の動作にて必要となる電流値よりも小さな場合は、前記充電制御部及び前記電源切換え部によって、前記二次電池に充電された電力を前記内部回路部に供給するように制御する携帯端末。
【請求項２】
請求項１に記載の携帯端末において、
前記内部回路部は、前記携帯端末の動作状態が変化する度に、前記電流測定部にて測定された電流値と前記携帯端末の動作にて必要となる電流値とを比較する携帯端末。
【請求項３】
二次電池が装着され、外部電源に接続された充電器から供給される電力によって前記二次電池が充電され、該二次電池に充電された電力または前記充電器から供給される電力によって動作する携帯端末の充電制御方法であって、
前記二次電池に対する充電完了後において、前記充電器から供給される電力における電流値が、前記携帯端末の動作にて必要となる電流値よりも大きな場合は、前記充電器から供給される電力によって前記携帯端末を動作させ、前記充電器から供給される電力における電流値が、前記携帯端末の動作にて必要となる電流値よりも小さな場合は、前記二次電池に充電された電力によって前記携帯端末を動作させる、携帯端末の充電制御方法。
【請求項４】
請求項３に記載の携帯端末の充電制御方法において、
前記携帯端末の動作状態が変化する度に、前記充電器から供給される電力における電流値と前記携帯端末の動作にて必要となる電流値とを比較する、携帯端末の充電制御方法。
【発明の詳細な説明】
【技術分野】
【０００１】
本発明は、携帯端末及びその充電制御方法に関する。
【背景技術】
【０００２】
携帯電話機の高機能化に伴い、携帯電話機の消費電流は増加する傾向が進んでいるが、携帯電話機に装着される二次電池の電力容量は、携帯電話機の大きさや重量を鑑みた場合、大容量化が困難な状況にある。このため、使用者は、電池残量の低下に伴って充電を多用し、例えば、毎晩就寝前に携帯電話機を充電器に接続して充電を開始し、明朝まで携帯電話機を充電器に接続しておき、外出時等に携帯電話機を充電器から取り外して持ち運ぶといった使用方法をとることも多くなっている。
【０００３】
一方、携帯電話機の充電動作においては、二次電池に実際に充電が行われているのは、携帯電話機が充電器に接続されてから１〜２時間程度であり、その後は、携帯電話機が充電器に接続されている状態であっても二次電池に対する充電動作は行われていない。
【０００４】
図４は、携帯電話機に対する充電動作における電池容量及び電池電圧の変化の一例を示す図である。
【０００５】
図４に示すように、携帯電話機に対する充電動作においては、二次電池に対する充電開始後、電池容量が所定の値となると充電が停止し、その後、二次電池の電圧が充電再開電圧まで低下すると、二次電池に対する充電が再開される。この動作が、携帯電話機内部の充電制御回路により自律的に繰り返し行われることになる。
【０００６】
そのため、二次電池に対する充電が停止してから再開されるまでの間は、充電器が取り外されていないにも関わらず、携帯電話機が二次電池の電力で動作することになり、それにより、二次電池の電池容量が低下し、使用者が携帯電話機を充電器から取り外した時点で既に電池容量が若干でも低下していることに違和感をもつ可能性があった。
【０００７】
ここで、ＡＣ電源アダプタによって充電されるバッテリーを内蔵したデジタルカメラにおいて、ＡＣ電源アダプタが接続されている状態においては、ＡＣ電源アダプタからデジタルカメラ本体に電力を供給する技術が特許文献１に開示されている。そこで、上述した携帯電話機等の携帯端末においても、この技術を用いれば、二次電池に対する充電完了後、携帯端末が充電器に接続されている状態においては、充電器から電力が供給されることになり、上記のような現象が生じることがなくなる。
【先行技術文献】
【特許文献】
【０００８】
【特許文献１】特開２００７−２２１４７０号公報
【発明の概要】
【発明が解決しようとする課題】
【０００９】
しかしながら、上述したように、携帯端末が充電器に接続されている状態において携帯端末に充電器から電力が供給されるものは、充電完了後の携帯端末の動作電力が充電器から供給されることにより、二次電池の不要な消費を抑えることが可能となるが、充電器から供給される電力が携帯端末の動作に必要な電力に満たない場合、携帯端末が動作不能な状態に陥る虞れがある。
【００１０】
本発明は、上述したような技術が有する問題点に鑑みてなされたものであって、充電器から供給される電力が動作に必要な電力に満たない場合であっても動作不能な状態に陥ることを回避できながらも、二次電池の不要な消費を抑えることができる携帯端末及びその充電制御方法を提供することを目的とする。
【課題を解決するための手段】
【００１１】
上記目的を達成するために本発明は、
二次電池が装着され、外部電源に接続された充電器から供給される電力によって前記二次電池が充電され、該二次電池に充電された電力または前記充電器から供給される電力によって動作する携帯端末であって、
前記携帯端末の動作を制御する内部回路部と、
前記充電器から供給される電力における電流値を測定する電流測定部と、
前記充電器から供給される電力の前記二次電池への充電を制御する充電制御部と、
前記二次電池に充電された電力と前記充電器から供給される電力とのいずれか一方を前記内部回路部に供給する電源切換え部とを有し、
前記内部回路部は、前記二次電池に対する充電完了後において、前記電流測定部にて測定された電流値が、前記携帯端末の動作にて必要となる電流値よりも大きな場合は、前記充電制御部及び前記電源切換え部によって、前記充電器から供給される電力を前記内部回路部に供給するように制御し、前記電流測定部にて測定された電流値が、前記携帯端末の動作にて必要となる電流値よりも小さな場合は、前記充電制御部及び前記電源切換え部によって、前記二次電池に充電された電力を前記内部回路部に供給するように制御する。
【００１２】
また、二次電池が装着され、外部電源に接続された充電器から供給される電力によって前記二次電池が充電され、該二次電池に充電された電力または前記充電器から供給される電力によって動作する携帯端末の充電制御方法であって、
前記二次電池に対する充電完了後において、前記充電器から供給される電力における電流値が、前記携帯端末の動作にて必要となる電流値よりも大きな場合は、前記充電器から供給される電力によって前記携帯端末を動作させ、前記充電器から供給される電力における電流値が、前記携帯端末の動作にて必要となる電流値よりも小さな場合は、前記二次電池に充電された電力によって前記携帯端末を動作させる。
【発明の効果】
【００１３】
以上説明したように本発明においては、二次電池に対する充電完了後において、充電器から供給される電力における電流値が、携帯端末の動作にて必要となる電流値よりも大きな場合は、充電器から供給される電力によって動作し、充電器から供給される電力における電流値が、携帯端末の動作にて必要となる電流値よりも小さな場合は、二次電池に充電された電力によって動作する構成としたため、充電器から供給される電力が動作に必要な電力に満たない場合であっても動作不能な状態に陥ることを回避できながらも、二次電池の不要な消費を抑えることができる。
【図面の簡単な説明】
【００１４】
【図１】本発明の携帯端末の実施の一形態を示す図である。
【図２】図１に示した携帯電話機の充電制御方法を説明するためのフローチャートである。
【図３】図１に示した携帯電話機における供給電力の切換え制御について説明するための図である。
【図４】携帯電話機に対する充電動作における電池容量及び電池電圧の変化の一例を示す図である。
【発明を実施するための形態】
【００１５】
以下に、本発明の実施の形態について図面を参照して説明する。
【００１６】
図１は、本発明の携帯端末の実施の一形態を示す図である。
【００１７】
本形態は図１に示すように、携帯電話内部回路１０と、充電制御部２０と、電源切換え部３０と、電流測定部４０とを有し、二次電池２が装着される携帯電話機１であって、二次電池２の充電時には充電器となる外部充電アダプタ３が接続される。
【００１８】
携帯電話内部回路１０は、携帯電話機１の動作を制御するものであって、制御部１１や無線部１２を含んでいる。
【００１９】
充電制御部２０は、外部電源（不図示）に接続された外部充電アダプタ３から供給された電力を用いた二次電池２の充電及び充電制御を行い、二次電池２の充電状態を監視する。また、携帯電話内部回路１０内の制御部１１の制御により、携帯電話内部回路１０への電力を行うべく定電圧電源から電力供給を行う。
【００２０】
電源切換え部３０は、携帯電話内部回路１０内の制御部１１もしくは充電制御部２０からの制御により、携帯電話内部回路１０に供給する電力を、二次電池２または外部充電アダプタ３から充電制御部２０を経由したものとのいずれかに切り換える。
【００２１】
電流測定部４０は、外部充電アダプタ３から供給された電力における電流値を測定する。
【００２２】
上記のように構成された携帯電話機１においては、外部電源に接続された外部充電アダプタ３から電力が供給されると、充電制御部２０内の定電圧源や定電流源によって、二次電池２に対する充電が行われたり、携帯電話内部回路１０に電力が供給されたりする。
【００２３】
以下に、上述した携帯電話機１の充電制御方法について説明する。
【００２４】
図２は、図１に示した携帯電話機１の充電制御方法を説明するためのフローチャートである。
【００２５】
図１に示した携帯電話機１が、外部電源に接続された外部充電アダプタ３に接続されると（ステップＳ１）、充電制御部２０の制御によって、外部充電アダプタ３から供給される電力を用いて二次電池２の充電制御が開始されるとともに（ステップＳ２）、電流測定部４０において、外部充電アダプタ３から供給される電力における電流値が測定される（ステップＳ３）。
【００２６】
二次電池２の充電が開始されると、充電制御部２０において二次電池２の充電状態が監視され（ステップＳ４）、二次電池２が満充電になったことが検出されると（ステップＳ５）、充電制御部２０の制御によって、外部充電アダプタ３から供給される電力を用いての二次電池２の充電動作が停止する（ステップＳ６）。
【００２７】
携帯電話内部回路１０の制御部１１において、二次電池２の充電動作が停止したことが検出されると（ステップＳ７）、携帯電話機１の動作状態が確認される（ステップＳ８）。
【００２８】
そして、携帯電話内部回路１０の制御部１１において、外部充電アダプタ３から供給される電力における電流値と、携帯電話機１の動作にて必要となる電流値とが比較され（ステップＳ９）、外部充電アダプタ３から供給される電力における電流値が、携帯電話機１の動作にて必要となる電流値よりも大きな場合は（ステップＳ１０）、充電制御部２０に対して、充電制御部２０内の定電圧源から電力供給を開始する制御が行われるとともに（ステップＳ１１）、電源切換え部３０に対して、携帯電話内部回路１０への電力供給を、充電制御部２０内の定電圧源からに切り換える制御が行われる（ステップＳ１２）。なお、携帯電話機１の動作にて必要となる電流値は、携帯電話機１の動作状態毎の消費電流として事前に測定して携帯電話機１に搭載されるメモリに予め格納しておくことで容易に取得可能となる。また、この制御が行われる前の状態においては、二次電池２に充電された電力が携帯電話内部回路１０に供給されている。
【００２９】
一方、外部充電アダプタ３から供給される電力における電流値が、携帯電話機１の動作にて必要となる電流値よりも小さな場合は、携帯電話内部回路１０の制御部１１において、電源切換え部３０に対して、携帯電話内部回路１０への電力供給を切り換える制御が行われず、二次電池２に充電された電力の携帯電話内部回路１０への供給が継続される。
【００３０】
ここで、上述した供給電力の切換え制御及びその動作において、携帯電話内部回路１０の動作状態は継続されるべきであり、そのための電源切換え部３０の構成が必要となる。
【００３１】
図３は、図１に示した携帯電話機１における供給電力の切換え制御について説明するための図である。
【００３２】
図１に示した携帯電話機１における供給電力の切換え制御においては、例えば、図３に示すように、電源切換え部３０における供給電源のスイッチングの条件を、外部充電アダプタ３の接続状態検出信号と、携帯電話内部回路１０における電源切換え部３０に対するステップＳ１２における制御信号と、二次電池２と充電制御部２０内の定電圧源からの出力電圧との電圧差検出信号との３信号の論理積（ＡＮＤ）で構成することが考えられる。
【００３３】
このような構成を用いることにより、携帯電話機１が外部充電アダプタ３に接続された後、供給電力の切換えを指示する制御信号が入力されても、充電制御部２０の定電圧源からの出力レベルが充電完了後の二次電池２の出力電圧と同等に出力されるまで定電圧源への切り換えが行われずに携帯電話内部回路１０への供給電力における電圧レベルがドロップしてしまうことを防ぐことが可能になる。
【００３４】
また、二次電池２と充電制御部２０内の定電圧源からの出力電圧との電圧差検出信号は、比較器（コンパレータ）等で構成して生成可能である。また、電力供給を定電圧源に切り換えた後、上述した３信号のいずれか１つが不成立となれば、携帯電話内部回路１０の動作を継続することが不可能になるため、即座に二次電池２からの電力供給に切り換わるような構成にもなっている。なお、携帯電話内部回路１０の制御部１１から充電制御部２０及び電源切換え３０への制御については、充電制御部２０に予めプログラミングされれば、制御部１１を介することなく実現可能となる。
【００３５】
その後、携帯電話機１に対する操作等のイベントによって携帯電話機１の動作状態が変化したことが携帯電話内部回路１０にて検出されると（ステップＳ１３）、ステップＳ９における処理と同様に、携帯電話内部回路１０の制御部１１において、外部充電アダプタ３から供給される電力における電流値と、携帯電話機１の動作にて必要となる電流値とが比較され（ステップＳ１４）、外部充電アダプタ３から供給される電力における電流値が、携帯電話機１の動作にて必要となる電流値よりも大きな場合は（ステップＳ１５）、充電制御部２０に対して、充電制御部２０内の定電圧源から電力供給を開始する制御が行われるとともに（ステップＳ１６）、電源切換え部３０に対して、携帯電話内部回路１０への電力供給を充電制御部２０内の定電圧源からとされる制御が行われる（ステップＳ１７）。
【００３６】
一方、外部充電アダプタ３から供給される電力における電流値が、携帯電話機１の動作にて必要となる電流値よりも小さな場合は、携帯電話内部回路１０の制御部１１において、電源切換え部３０に対して、携帯電話内部回路１０への電力供給を二次電池２からとされる制御が行われるとともに（ステップＳ１８）、充電制御部２０に対して、定電圧源からの電力供給を停止する制御が行われる（ステップＳ１９）。
【００３７】
そして、上述した動作は、携帯電話機１の動作状態が変化する度に行われることになる。
【００３８】
上述したように本形態においては、二次電池２に対する充電完了後において、外部電源アダプタ３から供給される電力における電流値が、携帯端末機１の動作にて必要となる電流値よりも大きな場合は、外部電源アダプタ３から供給される電力によって動作し、外部電源アダプタ３から供給される電力における電流値が、携帯端末機１の動作にて必要となる電流値よりも小さな場合は、二次電池２に充電された電力によって動作する構成としたため、外部電源アダプタ３から供給される電力が動作に必要な電力に満たない場合であっても動作不能な状態に陥ることを回避できながらも、二次電池２の不要な消費を抑えることができる。
【００３９】
なお、本形態においては、携帯端末として携帯電話機１を例に挙げて説明したが、二次電池が装着され、この二次電池に充電された電力によって動作可能な携帯端末であれば、様々なものが適用可能である。
【符号の説明】
【００４０】
１    携帯電話機
２    二次電池
３    外部充電アダプタ
１０    携帯電話内部回路
２０    充電制御部
３０    電源切換え部
４０    電流測定部
【図１】
2012125015.tif 000003
【図２】
2012125015.tif 000004
【図３】
2012125015.tif 000005
【図４】
2012125015.tif 000006